(57)【要約】データチャネルのスケジューリングが行われるマルチキャリア伝送において、隣接セルへの干渉を抑えて回線容量の減少を抑えつつ、スループットの低下を防ぐことができるスケジューリング方法。この方法では、時間軸方向においては、ＯＦＤＭシンボル毎に、制御チャネルの回線品質に基づいてデータチャネルを割り当てる移動局の選択を行い、周波数軸方向においては、サブキャリア毎に、データチャネルの回線品質に基づいて各移動局のデータチャネルを割り当てる。すなわち、データチャネルの時間軸方向のスケジューリングを制御チャネルの回線品質に基づいて行い、データチャネルの周波数軸方向のスケジューリングをデータチャネルの回線品質に基づいて行う。【特許請求の範囲】
【請求項１】
複数のサブキャリアから構成されるマルチキャリア信号を送信する基地局装置であって、
前記複数のサブキャリアにデータチャネルを割り当てる移動局を、データチャネルでのデータ伝送に必要な制御情報を伝送するための制御チャネルの回線品質に基づいて選択する選択手段と、
前記選択手段で選択された移動局を対象として、データチャネルの回線品質に基づいて、前記複数のサブキャリアにデータチャネルを割り当てる割当手段と、
を具備する基地局装置。
【請求項２】
前記選択手段は、制御チャネルの回線品質が良い順に、前記複数のサブキャリアに多重可能な数まで移動局を選択する、
請求項１記載の基地局装置。
【請求項３】
前記選択手段は、制御チャネルの回線品質が所定品質以上の移動局を選択する、
請求項１記載の基地局装置。
【請求項４】
前記選択手段は、データチャネルの割当情報またはＭＣＳ情報を伝送するための下り制御チャネルの回線品質に基づいて、前記複数のサブキャリアにデータチャネルを割り当てる移動局を選択する、
請求項１記載の基地局装置。
【請求項５】
前記選択手段は、ＡＣＫまたはＮＡＣＫを伝送するための上り制御チャネルの回線品質に基づいて、前記複数のサブキャリアにデータチャネルを割り当てる移動局を選択する、
請求項１記載の基地局装置。
【請求項６】
前記割当手段は、前記複数のサブキャリアのうち予め決められたサブキャリアに制御チャネルを割り当てる、
請求項１記載の基地局装置。
【請求項７】
基地局装置と移動局装置とが無線通信を行う移動体通信システムであって、
前記基地局装置は、前記移動局装置からデータチャネルの回線品質情報を受信し、
前記移動局装置は、制御チャネルの回線品質に基づいて、前記回線品質情報を前記基地局装置へ送信するか否か判定する、
移動体通信システム。
【請求項８】
前記移動局装置は、前記制御チャネルの回線品質がしきい値以上であれば前記回線品質情報を送信すると判定し、前記制御チャネルの回線品質がしきい値未満であれば前記回線品質情報を送信しないと判定する、
請求項７記載の移動体通信システム。
【請求項９】
前記移動局装置は、制御チャネルの受信ＳＩＲを用いて回線品質を測定する、
請求項７記載の移動体通信システム。
【請求項１０】
前記移動局装置は、制御チャネルの所要送信電力を用いて回線品質を測定する、
請求項７記載の移動体通信システム。
【請求項１１】
周波数軸方向に複数のサブキャリアを有するマルチキャリア信号を時間軸方向に連続的に送信するマルチキャリア伝送システムにおいて使用される前記複数のサブキャリアに対するデータチャネルのスケジューリング方法であって、
時間軸方向のスケジューリングを制御チャネルの回線品質に応じて行う一方で、周波数軸方向のスケジューリングをデータチャネルの回線品質に応じて行う、
スケジューリング方法。
【発明の詳細な説明】
【技術分野】
【０００１】  本発明は、基地局装置、移動局装置およびデータチャネルのスケジューリング方法に関し、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）により複数のサブキャリアに各移動局のデータチャネルを割り当てる基地局装置およびデータチャネルのスケジューリング方法に関する。
【背景技術】
【０００２】  高速パケット伝送の要求を満たすシステムとして、ｂｅｙｏｎｄ  ３Ｇシステムが検討されている。現在検討されているｂｅｙｏｎｄ  ３Ｇシステムとして、ＯＦＤＭやＭＣ−ＣＤＭＡ等のマルチキャリア伝送システムがある。また、マルチキャリア伝送においては、データチャネルに対するスケジューリングをサブキャリア毎に行う周波数スケジューリングの検討がなされている。周波数スケジューリングでは、各移動局へのパケットデータを回線品質が良好なサブキャリアに割り当てることにより、周波数利用効率を向上させる。より具体的には、以下のようにして周波数スケジューリングが行われる。【０００３】  各移動局は、全サブキャリアについてサブキャリア毎に回線品質情報であるＣＱＩ（Ｃｈａｎｎｅｌ  Ｑｕａｌｉｔｙ  Ｉｎｄｉｃａｔｏｒ）を基地局に報告する。基地局は各移動局からのＣＱＩに基づいて所定のスケジューリングアルゴリズムに従って、各移動局が使用するサブキャリアとＭＣＳ（Ｍｏｄｕｌａｔｉｏｎ  ａｎｄ  Ｃｏｄｉｎｇ  Ｓｃｈｅｍｅ；変調方式と符号化率）を決定する。基地局が複数の移動局に対して同時にデータを送信する場合は、基地局は全移動局からの全サブキャリアのＣＱＩを用いて周波数スケジューリングを行なう（例えば、特許文献１参照）。このように周波数スケジューリングでは、サブキャリア毎にパケットデータの送信がなされる移動局が選択される。【０００４】  ここで、高速パケット伝送システムについて説明する。図１は、高速パケット伝送システムの概念図である。図１では、高速パケットの伝送を下り回線において行う場合を示している。この場合、マルチキャリア伝送でパケットデータを伝送するためのチャネルとして下りデータチャネルがある。この下りデータチャネルは複数の移動局で共用される。また、下りデータチャネルでのパケットデータの伝送に必要な制御情報を伝送するために、下りデータチャネルに付随して、下り制御チャネルと上り制御チャネルとがある。この下り制御チャネルでは、上記周波数スケジューリングにおいてどのサブキャリアにどの移動局のデータチャネルが割り当てられたかを示す情報（データチャネルの割当情報）や移動局毎のＭＣＳ情報が伝送される。また、各移動局は上り制御チャネルを用いて、ＣＱＩとＡＣＫ／ＮＡＣＫを基地局に通知する。このＡＣＫ（ＡＣＫｎｏｗｌｅｄｇｍｅｎｔ；肯定応答）／ＮＡＣＫ（Ｎｅｇａｔｉｖｅ  ＡＣＫｎｏｗｌｅｄｇｍｅｎｔ；否定応答）を用いて、ＡＲＱ（Ａｕｔｏｍａｔｉｃ  Ｒｅｐｅａｔ  ｒｅＱｕｅｓｔ；自動再送要求）が行われる。なお、図１における下り制御チャネルおよび上り制御チャネルともに、各移動局毎に存在する個別チャネルである。【０００５】  このような高速パケット伝送システムにおいては、一般的に、下りデータチャネルについては送信電力を一定に保つとともに、回線品質に応じてＭＣＳを適応的に変化させて伝送レートを変化させることによりフェージングに対応する。一方で、下り制御チャネルや上り制御チャネルについては、固定の伝送レートに保つとともに、回線品質に応じて送信電力を変化させることにより所要の受信品質を得る。
【特許文献１】特開２００２−２５２６１９号公報
【発明の開示】
【発明が解決しようとする課題】
【０００６】  ここで、フェージングの落ち込み等で上り制御チャネルの回線品質が悪いときに、その上り制御チャネルを使用する移動局にパケットデータの伝送が行われると、そのパケットデータに対するＡＣＫ／ＮＡＣＫを所要受信品質で基地局に伝えるために上り制御チャネルの送信電力が大きくなってしまう。その結果、隣接セルに与える干渉が増大してしまうとともに、上り回線の容量が圧迫されてしまう。【０００７】  一方、下り制御チャネルの回線品質が悪いときに、その下り制御チャネルを使用する移動局にパケットデータの伝送が行われると、上記割当情報やＭＣＳ情報をその移動局に対して所要受信品質で伝えるために下り制御チャネルの送信電力が大きくなってしまう。その結果、隣接セルに与える干渉が増大してしまうとともに、下り回線の容量が圧迫されてしまう。【０００８】  また、上り制御チャネルについて送信電力制御が行われない通信システムにおいては、フェージングの落ち込み等で上り制御チャネルの回線品質が悪いときに、その上り制御チャネルを使用する移動局にパケットデータの伝送が行われると、そのパケットデータに対するＡＣＫ／ＮＡＣＫが所要受信品質で基地局に届かなくなる。特に、セル境界付近に位置する移動局については、ＡＣＫ／ＮＡＣＫが所要受信品質で基地局に届かなくなる可能性が高い。その結果、パケットデータの再送が発生してしまい下りデータチャネルのスループットが低下してしまう。【０００９】  本発明の目的は、マルチキャリア伝送において、隣接セルへの干渉を抑えて回線容量の減少を抑えつつ、スループットの低下を防ぐことができる基地局装置、移動局装置およびデータチャネルのスケジューリング方法を提供することである。
【課題を解決するための手段】
【００１０】  本発明のスケジューリング方法は、周波数軸方向に複数のサブキャリアを有するマルチキャリア信号を時間軸方向に連続的に送信するマルチキャリア伝送システムにおいて使用される前記複数のサブキャリアに対するデータチャネルのスケジューリング方法であって、時間軸方向のスケジューリングを制御チャネルの回線品質に応じて行う一方で、周波数軸方向のスケジューリングをデータチャネルの回線品質に応じて行うようにした。
【発明の効果】
【００１１】  本発明によれば、隣接セルへの干渉を抑えて回線容量の減少を抑えつつ、スループットの低下を防ぐことができる。
【図面の簡単な説明】
【００１２】
【図１】高速パケット伝送システムの概念図
【図２】本発明の実施の形態１に係る移動体通信システムの構成図
【図３】本発明の実施の形態１に係る基地局装置の構成を示すブロック図
【図４】本発明の実施の形態１に係るスケジューリング方法を示す図
【図５】本発明の実施の形態１に係る制御チャネルとデータチャネルの配置を示す図
【図６】本発明の実施の形態１に係る回線品質変動とスケジューリングとの関係を示す図
【図７】本発明の実施の形態２に係る基地局装置の構成を示すブロック図
【図８】本発明の実施の形態３に係る移動局装置の構成を示すブロック図
【発明を実施するための最良の形態】
【００１３】  以下、本発明の実施の形態について、図面を参照して詳細に説明する。【００１４】  （実施の形態１）
本発明の実施の形態１に係る移動体通信システムの構成を図２に示す。この図に示すように、基地局装置を中心としたセルの中に複数の移動局装置が存在する。なお、図２の例では、３つのセルで構成される移動体通信システムを示したが、移動体通信システムを構成するセルの数は特に限定されない。【００１５】  図３は、本発明の実施の形態１に係る基地局装置の構成を示すブロック図である。制御情報抽出部１０５、復調部１０６、復号部１０７、ＭＣＳ選択部１０８、符号化部１０９、ＨＡＲＱ（Ｈｙｂｒｉｄ  Ａｕｔｏｍａｔｉｃ  Ｒｅｐｅａｔ  Ｒｅｑｕｅｓｔ）部１１０、変調部１１１、符号化部１１５、変調部１１６、および送信電力制御部１１７は、データ処理部１００−１〜１００−ｎを構成する。データ処理部１００−１〜１００−ｎは、この基地局装置が収容可能な移動局数分（ｎ個）設けられるものであり、データ処理部１００−１〜１００−ｎはそれぞれ、各移動局毎のデータの処理を行う。【００１６】  受信無線処理部１０２は、アンテナ１０１にて受信した受信信号を無線周波数からベースバンド周波数へダウンコンバート等してガードインターバル（以下「ＧＩ」と記載する）除去部１０３へ出力する。【００１７】  ＧＩ除去部１０３は、受信無線処理部１０２から入力された受信信号からＧＩを除去して高速フーリエ変換（以下「ＦＦＴ；Ｆａｓｔ  Ｆｏｕｒｉｅｒ  Ｔｒａｎｓｆｏｒｍ」と記載する）部１０４へ出力する。【００１８】  ＦＦＴ部１０４は、ＧＩ除去部１０３から入力された受信信号をシリアルデータ形式からパラレルデータ形式に変換した後、ＦＦＴ処理を行い、移動局毎の受信信号として制御情報抽出部１０５へ出力する。【００１９】  制御情報抽出部１０５は、ＦＦＴ部１０４から入力された受信信号より制御情報を抽出して復調部１０６へ出力する。この制御情報は各移動局毎の上り制御チャネルで各移動局から送られたものであり、この制御情報にはＨＡＲＱのためのＡＣＫ／ＮＡＣＫ、サブキャリア毎のＣＱＩ、下り制御チャネルの回線品質情報が含まれる。ＡＣＫ／ＮＡＣＫについては、各移動局が受信したパケットデータに対して誤り検出を行い、誤りがない場合はＡＣＫ、誤りがある場合はＮＡＣＫを基地局に報告する。また、サブキャリア毎のＣＱＩについては、各移動局が下りデータチャネルのサブキャリア毎の回線品質としてサブキャリア毎の受信ＣＩＲを測定し、その受信ＣＩＲに応じたＣＱＩをサブキャリア毎に基地局に報告する。また、下り制御チャネルの回線品質については、各移動局が下り制御チャネルの回線品質として自局用の下り制御チャネルの受信ＣＩＲを測定し基地局に報告する。【００２０】  復調部１０６は、制御情報抽出部１０５から入力された制御情報を復調して復号部１０７へ出力する。【００２１】  復号部１０７は、復調部１０６から入力された制御情報を復号する。そして、制御情報に含まれるサブキャリア毎のＣＱＩをＭＣＳ選択部１０８およびスケジューラ１１２の割当部１１４へ出力する。また、復号部１０７は、制御情報に含まれるＡＣＫまたはＮＡＣＫをＨＡＲＱ部１１０へ出力する。また、復号部１０７は、制御情報に含まれる下り制御チャネルの回線品質情報をスケジューラ１１２の選択部１１３へ出力する。【００２２】  ＭＣＳ選択部１０８は、復号部１０７から入力されたＣＱＩに応じて、パケットデータの変調方式（ＢＰＳＫ、ＱＰＳＫ、８ＰＳＫ、１６ＱＡＭ、６４ＱＡＭ等）および符号化率を選択する。ＭＣＳ選択部１０８は、ＣＱＩと変調方式および符号化率と対応付けたＭＣＳテーブルを保持しており、各移動局から送られてきたサブキャリア毎のＣＱＩを用いてＭＣＳテーブルを参照することにより、サブキャリア毎に変調方式および符号化率を選択する。そして、ＭＣＳ選択部１０８は、選択した変調方式を示す情報を変調部１１１へ出力し、選択した符号化率を示す情報を符号化部１０９へ出力する。【００２３】  符号化部１０９は、入力されるパケットデータをＭＣＳ選択部１０８で選択された符号化率で符号化してＨＡＲＱ部１１０へ出力する。なお、パケットデータ１は移動局１宛てのパケットデータの系列であり、パケットデータｎは移動局ｎ宛てのパケットデータの系列であり、下りデータチャネルで伝送されるものである。【００２４】  ＨＡＲＱ部１１０は、符号化部１０９から入力されたパケットデータを変調部１１１へ出力するとともに、変調部１１１へ出力したパケットデータを一時的に保持する。そして、ＨＡＲＱ部１１０は、復号部１０７からＮＡＣＫが入力された場合には、移動局より再送要求されているため、一時的に保持している出力済みのパケットデータを再度変調部１１１へ出力する。一方、ＨＡＲＱ部１１０は、復号部１０７からＡＣＫが入力された場合には、新たなパケットデータを変調部１１１へ出力する。【００２５】  変調部１１１は、ＨＡＲＱ部１１０から入力されたパケットデータをＭＣＳ選択部１０８で選択された変調方式に従って変調して、スケジューラ１１２の選択部１１３へ出力する。【００２６】  選択部１１３は、復号部１０７から入力された下り制御チャネルの回線品質情報に基づいて、パケットデータ１〜ｎの中から割当部１１４へ出力するパケットデータを選択する。具体的な選択方法については後述する。【００２７】  符号化部１１５は、入力される制御データを所定の符号化率で符号化して変調部１１６へ出力する。なお、制御データ１は移動局１宛ての制御データの系列であり、制御データｎは移動局ｎ宛ての制御データの系列であり、下り制御チャネルで伝送されるものである。また、この制御データには、上記割当情報や移動局毎のＭＣＳ情報が含まれる。【００２８】  変調部１１６は、符号化部１１５から入力された制御データを所定の変調方式に従って変調して、送信電力制御部１１７へ出力する。【００２９】  送信電力制御部１１７は、制御データの送信電力を制御してスケジューラ１１２の割当部１１４へ出力する。この送信電力制御は、下り制御チャネルの回線品質に応じて行われる。すなわち、各移動局が下り制御チャネルの回線品質を測定し、その回線品質としきい値との比較結果に基づいてＴＰＣコマンドを作成して基地局へ報告し、基地局はそのＴＰＣコマンドに従って制御データの送信電力を上げ下げする。【００３０】  割当部１１４は、選択部１１３から入力されたパケットデータおよび送信電力制御部１１７から入力された制御データを、復号部１０７から入力されたサブキャリア毎のＣＱＩに基づいてマルチキャリア信号を構成する複数のサブキャリア１〜ｍのいずれかに割り当てて、逆高速フーリエ変換（以下「ＩＦＦＴ；Ｉｎｖｅｒｓｅ  Ｆａｓｔ  Ｆｏｕｒｉｅｒ  Ｔｒａｎｓｆｏｒｍ」と記載する）部１１８へ出力する。具体的な割当方法については後述する。【００３１】  ＩＦＦＴ部１１８は、割当部１１４から入力されたパケットデータおよび制御データをＩＦＦＴしてマルチキャリア信号（ＯＦＤＭシンボル）を作成し、ＧＩ挿入部１１９へ出力する。【００３２】  ＧＩ挿入部１１９は、ＩＦＦＴ部１１８から入力されたマルチキャリア信号にＧＩを挿入して送信無線処理部１２０へ出力する。【００３３】  送信無線処理部１２０は、ＧＩ挿入部１１９から入力されたマルチキャリア信号をベースバンド周波数から無線周波数にアップコンバート等してアンテナ１０１より送信する。【００３４】  次いで、選択部１１３と割当部１１４とから構成されるスケジューラ１１２の動作について図４を用いて具体的に説明する。図４は、本発明の実施の形態１に係るスケジューリング方法を示す図である。図４に示すように、基地局から送信されるマルチキャリア信号は、各ＯＦＤＭシンボルが周波数軸方向にｆ１〜ｆ１４の１４本のサブキャリアで構成され、時間軸方向に連続的に送信される。また、サブキャリアｆ１〜ｆ１４はデータチャネルと制御チャネルとに区別される。すなわち、サブキャリアｆ１〜ｆ１０は下りデータチャネルによって使用され、サブキャリアｆ１１〜ｆ１４は下り制御チャネルによって使用される。また、下り制御チャネル１〜４は移動局１〜４にそれぞれ個別に割り当てられている。すなわち、下り制御チャネル１はサブキャリアｆ１４に、下り制御チャネル２はサブキャリアｆ１３に、下り制御チャネル３はサブキャリアｆ１２に、下り制御チャネル４はサブキャリアｆ１１にそれぞれ固定的に割り当てられる。一方、下りデータチャネルは移動局１〜４で共用され、サブキャリアｆ１〜ｆ１０が移動局１〜４に可変的に割り当てられる。【００３５】  なお、データチャネルと制御チャネルはそれぞれ連続している必要はなく、非連続に割り当てられていても良い。また、例えば、図５のように、制御チャネルとデータチャネルが時間多重されていても良い。【００３６】  まず、選択部１１３の動作について説明する。今ここでは、１ＯＦＤＭシンボルに多重可能な移動局数を‘２’とする。選択部１１３は、各移動局１〜４から報告された下り制御チャネル１〜４の回線品質を比較する。この回線品質については、各移動局１〜４が下り制御チャネル１〜４の受信ＣＩＲを測定し、そのＣＩＲ値を下り制御チャネルの回線品質情報として基地局に報告する。多重可能な移動局数が‘２’であるので、選択部１１３は、移動局１〜４のうち、回線品質が良い順に上位２移動局を選択する。ここでは、シンボルＳ１のタイミングでは制御チャネル１および３、シンボルＳ２のタイミングでは制御チャネル２および３、シンボルＳ３のタイミングでは制御チャネル２および４、シンボルＳ４のタイミングでは制御チャネル１および４が、他の２つの制御チャネルよりも回線品質が良好であったとする。よって、選択部１１３は、サブキャリアｆ１〜ｆ１０にデータチャネルを割り当てる移動局として、シンボルＳ１のタイミングでは移動局１および３、シンボルＳ２のタイミングでは移動局２および３、シンボルＳ３のタイミングでは移動局２および４、シンボルＳ４のタイミングでは移動局１および４を選択する。つまり、選択部１１３は、変調部１１１から入力されるパケットデータ１〜４のうち、シンボルＳ１のタイミングではパケットデータ１および３、シンボルＳ２のタイミングではパケットデータ２および３、シンボルＳ３のタイミングではパケットデータ２および４、シンボルＳ４のタイミングではパケットデータ１および４を選択して割当部１１４へ出力する。【００３７】  なお、別な選択方法として、選択部１１３は、１ＯＦＤＭシンボルに多重可能な移動局数にかかわらず、下り制御チャネルの回線品質が所定品質以上となる移動局をすべて選択してもよい。【００３８】  ここで、ＯＦＤＭシンボルＳ１〜Ｓ４は、時間軸方向で連続的に送信される。そして、上記のように時間軸に沿って、ＯＦＤＭシンボル毎に、制御チャネルの回線品質に基づいてデータチャネルを割り当てる移動局の選択が行われる。つまり、スケジューラ１１２では、データチャネルの時間軸方向のスケジューリングが制御チャネルの回線品質に基づいて行われることとなる。【００３９】  次いで、割当部１１４の動作について説明する。まず、割当部１１４は、シンボルＳ１〜Ｓ４のいずれのタイミングにおいても、制御チャネル１（制御データ１）をサブキャリアｆ１４に、制御チャネル２（制御データ２）をサブキャリアｆ１３に、制御チャネル３（制御データ３）をサブキャリアｆ１２に、制御チャネル４（制御データ４）をサブキャリアｆ１１に、固定的に割り当てる。つまり、割当部１１４は、制御チャネルについては、サブキャリアｆ１〜ｆ１４のうち予め決められたサブキャリアｆ１１〜ｆ１４に制御チャネルを割り当てる。【００４０】  一方で、割当部１１４は、シンボルＳ１〜Ｓ４のそれぞれのタイミングにおいて、各サブキャリアｆ１〜ｆ１０にデータチャネルを割り当てる移動局を変化させる。すなわち、シンボルＳ１のタイミングでは、選択部１１３によって移動局１および３が選択されたため、割当部１１４は、移動局１および３を対象として、サブキャリアｆ１〜ｆ１０に移動局１の下りデータチャネルの回線品質と移動局３の下りデータチャネルの回線品質とを比較する。つまり、割当部１１４は、シンボルＳ１のタイミングでは、移動局１から報告されたＣＱＩと移動局３から報告されたＣＱＩとを比較する。通常、回線品質が良いほどＣＱＩの値が大きいため、割当部１１４はサブキャリア毎に移動局１および３のうちＣＱＩの値が大きい方の移動局を選択して、選択した移動局のパケットデータをサブキャリアに割り当てる。つまり、割当部１１４は、選択部１１３で選択された移動局のうち、サブキャリア毎に下りデータチャネルの回線品質が最も良好な移動局に対してデータチャネルを割り当てる。図４の例では、シンボルＳ１のタイミングでは、サブキャリアｆ１に関しては、移動局３のＣＱＩが移動局１のＣＱＩより大きいので、移動局３をサブキャリアｆ１に割り当てる。同様にサブキャリア毎に割り当てを繰り返すと、サブキャリアｆ４、ｆ５、���６、ｆ７に移動局１のデータチャネルが割り当てられ、サブキャリアｆ１、ｆ２、ｆ３、ｆ８、ｆ９、ｆ１０に移動局３のデータチャネルが割り当てられる。【００４１】  同様にして、割当部１１４では、シンボルＳ２のタイミングでは、サブキャリアｆ１、ｆ２、ｆ７、ｆ８、ｆ９、ｆ１０に移動局２のデータチャネルが割り当てられ、サブキャリアｆ３、ｆ４、ｆ５、ｆ６に移動局３のデータチャネルが割り当てられる。また、シンボルＳ３のタイミングでは、サブキャリアｆ７、ｆ８、ｆ９、ｆ１０に移動局２のデータチャネルが割り当てられ、サブキャリアｆ１、ｆ２、ｆ３、ｆ４、ｆ５、ｆ６に移動局４のデータチャネルが割り当てられる。また、シンボルＳ４のタイミングでは、サブキャリアｆ１、ｆ２、ｆ３、ｆ９、ｆ１０に移動局１のデータチャネルが割り当てられ、サブキャリアｆ４、ｆ５、ｆ６、ｆ７、ｆ８に移動局４のデータチャネルが割り当てられる。【００４２】  ここで、割当部１１４では、上記のように周波数軸に沿って、サブキャリア毎に、データチャネルの回線品質に基づいて各移動局のデータチャネルを割り当てる。つまり、スケジューラ１１２では、データチャネルの周波数軸方向のスケジューリングがデータチャネルの回線品質に基づいて行われることとなる。【００４３】  なお、上記説明では、各移動局の下り制御チャネルを互いに異なるサブキャリア（ｆ１１〜ｆ１４）に割り当てるようにしたが、ある特定の１つのサブキャリア（例えば、ｆ１４）を制御チャネル用として複数の移動局で共用し、データチャネルが割り当てられた移動局に対してだけ制御情報を伝送するようにしてもよい。この場合には、移動局は、共通パイロットの受信ＣＩＲを制御チャネルの回線品質として測定し基地局に報告する。【００４４】  次いで、ある１つの移動局に着目した場合の上記スケジューリングの様子を示す。図６は、本発明の実施の形態１に係る回線品質変動とスケジューリングとの関係を示す図である。図６の上図は制御チャネルの回線品質（移動局での受信ＣＩＲ）の時間変動を表している。図６の上図に示すように、この移動局は、自局用の制御チャネルの回線品質が良好な時間帯だけパケットデータの送信先の移動局として選択される。つまりデータチャネルを割り当てる移動局として選択される。また、図６の下図は、送信先の移動局として選択されたそれぞれの時間帯（シンボル）でのデータチャネルの回線品質（移動局での受信ＣＩＲ）の周波数変動を表している。丸印で囲んだ箇所がデータチャネルを割り当てる送信周波数（サブキャリア）として選択された箇所であり、良好な回線品質の周波数が選択されている。【００４５】  このように本実施の形態によれば、下り制御チャネルの回線品質が良好な移動局に対してのみデータチャネルを割り当て、下り制御チャネルの回線品質が悪い移動局に対してはデータチャネルが割り当てられることがなくなるため、上記割当情報やＭＣＳ情報を移動局に伝えるための下り制御チャネルの送信電力が大きくなってしまうことを防止することができ、隣接セルに与える干渉を抑えることができる。その結果、下り回線の容量の減少を抑えることができる。また、データチャネルについては変調レベルの高い変調方式を用いて伝送レートを上げてスループットを向上させることができる。【００４６】  なお、制御チャネルについて送信電力制御が行われない通信システムで図３に示す基地局が使用される場合は、図３の構成において送信電力制御部１１７は不要となる。また、送信電力制御部１１７を割当部１１４の後に設け、サブキャリアに対する割り当て後に送信電力制御を行う構成にしても良い。【００４７】  （実施の形態２）
図７は、本発明の実施の形態２に係る基地局装置の構成を示すブロック図である。なお、図７において図３（実施の形態１）と同一の構成には同一の符号を付し、その説明を省略する。【００４８】  図７において、復調部１０６は、制御情報抽出部１０５から入力された制御情報を復調して復号部１０７および回線品質測定部１２１へ出力する。上記のように、この制御情報は各移動局毎の上り制御チャネルで各移動局から送られたものである。そこで、回線品質測定部１２１は、復調部１０６から入力された制御情報の受信ＣＩＲを各移動局毎の上り制御チャネルの回線品質として測定し、選択部１１３へ出力する。選択部１１３では、実施の形態１と同様にして、回線品質測定部１２１から入力された上り制御チャネルの回線品質情報（受信ＣＩＲ）に基づいて、パケットデータ１〜ｎの中から割当部１１４へ出力するパケットデータを選択する。【００４９】  復号部１０７は、復調部１０６から入力された制御情報を復号する。そして、制御情報に含まれるサブキャリア毎のＣＱＩをＭＣＳ選択部１０８および割当部１１４へ出力する。また、復号部１０７は、制御情報に含まれるＡＣＫまたはＮＡＣＫをＨＡＲＱ部１１０へ出力する。【００５０】  このように本実施の形態によれば、上り制御チャネルの回線品質が良好な移動局に対してのみデータチャネルを割り当て、上り制御チャネルの回線品質が悪い移動局に対してはデータチャネルが割り当てられることがなくなるため、ＡＣＫ／ＮＡＣＫやＣＱＩを基地局に伝えるための上り制御チャネルの送信電力が大きくなってしまうことを防止することができ、隣接セルに与える干渉を抑えることができる。その結果、上り回線の容量の減少を抑えることができる。また、上り制御チャネルについて送信電力制御が行われない通信システムにおいても、上り制御チャネルの回線品質が悪い移動局に対してはデータチャネルが割り当てられることがなくなるため、ＡＣＫ／ＮＡＣＫが所要受信品質で基地局に届かなくなる可能性を低くすることができる。その結果、再送の発生による下りデータチャネルのスループットの低下を抑えることができる。【００５１】  （実施の形態３）
図８は、本発明の実施の形態３に係る移動局装置の構成を示すブロック図である。【００５２】  図８において、受信無線処理部２０２は、アンテナ２０１にて受信した受信信号を無線周波数からベースバンド周波数へダウンコンバート等してＧＩ除去部２０３へ出力する。【００５３】  ＧＩ除去部２０３は、受信無線処理部２０２から入力された受信信号からＧＩを除去してＦＦＴ部２０４へ出力する。【００５４】  ＦＦＴ部２０４は、ＧＩ除去部２０３から入力された受信信号をシリアルデータ形式からパラレルデータ形式に変換した後、ＦＦＴ処理を行い、サブキャリア毎の信号として分離部２０５へ出力する。【００５５】  分離部２０５は、ＦＦＴ部２０４から入力された信号をデータチャネル信号と制御チャネル信号とに分離し、データチャネル信号を復調部２０６およびデータチャネル品質測定部２１０に出力するとともに、制御チャネル信号を復調部２０８および制御チャネル品質測定部２１３へ出力する。【００５６】  復調部２０６は、データチャネル信号を復調し、復号部２０７は、復調後のデータチャネル信号を復号する。これにより、パケットデータが得られる。【００５７】  復調部２０８は、制御チャネル信号を復調し、復号部２０９は、復調後の制御チャネル信号を復号する。これにより、制御データが得られる。また、復号部２０９は、制御データに含まれるＡＣＫまたはＮＡＣＫをＨＡＲＱ部２２０へ出力する。ＡＣＫ／ＮＡＣＫについては、基地局が受信したパケットデータに対して誤り検出を行い、誤りがない場合はＡＣＫ、誤りがある場合はＮＡＣＫを移動局に報告する。【００５８】  データチャネル品質測定部２１０は、データチャネル信号の受信品質（例えば、受信ＣＩＲ）を測定し、フィードバック情報生成部２１１へ出力する。【００５９】  フィードバック情報生成部２１１は、データチャネル信号の受信品質から回線品質情報であるＣＱＩ（Ｃｈａｎｎｅｌ  Ｑｕａｌｉｔｙ  Ｉｎｄｉｃａｔｏｒ）をフィードバック情報として生成し、送信制御部２１２へ出力する。【００６０】  制御チャネル品質測定部２１３は、制御チャネル信号の受信品質（例えば、受信ＣＩＲ）を測定し、フィードバック判定部２１４へ出力する。【００６１】  フィードバック判定部２１４は、制御チャネル信号の受信品質を所定のしきい値と比較し、受信品質がしきい値以上であればＣＱＩのフィードバックを行うと判定し、しきい値未満であればＣＱＩのフィードバックを行わないと判定する。この判定結果は、送信制御部２１２へ出力される。【００６２】  送信制御部２１２は、判定結果がフィードバックを行うという結果であればＣＱＩを符号化部２１５へ出力し、判定結果がフィードバックを行わないという結果であれば何も出力しない。【００６３】  符号化部２１５は、送信制御部２１２からＣＱＩが入力されれば、そのＣＱＩを符号化して変調部２１６へ出力する。なお、符号化部２１５は、送信制御部２１２からの入力がない場合は処理を行わない。【００６４】  変調部２１６は、符号化部２１５から入力されたＣＱＩを所定の変調方式に従って変調して、送信電力制御部２１７へ出力する。【００６５】  送信電力制御部２１７は、ＣＱＩの送信電力を制御して割当部２１���へ出力する。この送信電力制御は、上り制御チャネルの回線品質に応じて行われる。すなわち、基地局が上り制御チャネルの回線品質を測定し、その回線品質としきい値との比較結果に基づいてＴＰＣコマンドを作成して移動局へ報告し、移動局はそのＴＰＣコマンドに従ってＣＱＩの送信電力を上げ下げする。【００６６】  符号化部２１９は、入力されるパケットデータを符号化してＨＡＲＱ部２２０へ出力する。【００６７】  ＨＡＲＱ部２２０は、符号化部２１９から入力されたパケットデータを変調部２２１へ出力するとともに、変調部２２１へ出力したパケットデータを一時的に保持する。そして、ＨＡＲＱ部２２０は、復号部２０９からＮＡＣＫが入力された場合には、基地局より再送要求されているため、一時的に保持している出力済みのパケットデータを再度変調部２２１へ出力する。一方、ＨＡＲＱ部２２０は、復号部２０９からＡＣＫが入力された場合には、新たなパケットデータを変調部２２１へ出力する。【００６８】  変調部２２１は、ＨＡＲＱ部２２０から入力されたパケットデータを所定の変調方式に従って変調して、割当部２１８へ出力する。【００６９】  割当部２１８は、変調部２２１から入力されたパケットデータおよび送信電力制御部２１７から入力されたＣＱＩを、マルチキャリア信号を構成する複数のサブキャリア１〜ｍのいずれかに割り当てて、ＩＦＦＴ部２２２へ出力する。【００７０】  ＩＦＦＴ部２２２は、割当部２１８から入力されたパケットデータおよびＣＱＩをＩＦＦＴしてマルチキャリア信号（ＯＦＤＭシンボル）を作成し、ＧＩ挿入部２２３へ出力する。【００７１】  ＧＩ挿入部２２３は、ＩＦＦＴ部２２２から入力されたマルチキャリア信号にＧＩを挿入して送信無線処理部２２４へ出力する。【００７２】  送信無線処理部２２４は、ＧＩ挿入部２２３から入力されたマルチキャリア信号をベースバンド周波数から無線周波数にアップコンバート等してアンテナ２０１より送信する。【００７３】  なお、本実施の形態に係る移動局がＣＱＩをフィードバックしない場合は、基地局では、その移動局については、上記スケジューラ１１２にて用いられるＣＱＩを最小値のＣＱＩとみなして処理を行う、または、上記スケジューラ１１２における処理対象から除外する。【００７４】  このように本実施の形態によれば、移動局は、制御チャネルの回線品質に応じてデータチャネルのＣＱＩの基地局へのフィードバックを行うか否かを判定する。つまり、制御チャネルの回線品質がしきい値以上であればデータチャネルの受信品質情報を基地局へ送信し、制御チャネルの回線品質がしきい値未満であればデータチャネルの受信品質情報を基地局へ送信しない。このようにして、本実施の形態では、無駄なＣＱＩのフィードバックを行わないため、上り回線の送信量を低減することができる。これにより、隣接セルに与える干渉を抑えることができ、その結果上り回線の容量の増大を図ることができる。また、基地局において、制御チャネルの品質が劣悪な移動局を処理対象から除外することができるので、基地局での処理量を低減することができる。なお、基地局において、制御チャネルの品質が劣悪な移動局宛のパケットデータは割り当てられない可能性が高い���で、パケットデータのスループットを低下させることはない。【００７５】  なお、上記実施の形態においては、データチャネルに対するスケジューリングをいわゆるＭａｘＣ／Ｉ法により行ったが、例えば、いわゆるＰＦ（Ｐｒｏｐｏｒｔｉｏｎａｌ  Ｆａｉｒｎｅｓｓ）法により行ってもよい。ＭａｘＣ／Ｉ法は、瞬時の回線品質だけに基づくスケジューリングアルゴリズムであり、各移動局間の公平性よりもむしろ下りデータチャネルのスループットを最大にすることに適したアルゴリズムである。一方、ＰＦ法は、長区間の平均の回線品質または１ＯＦＤＭに含まれる全サブキャリアの平均の回線品質と瞬時の回線品質との比に基づくスケジューリングアルゴリズムであり、各移動局間の公平性と下りデータチャネルのスループットとをバランス良く保つことができるアルゴリズムである。【００７６】  また、上記実施の形態において、回線品質の測定は、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。【００７７】  また、回線品質情報は、ＣＱＩやＣＳＩ（Ｃｈａｎｎｅｌ  Ｓｔａｔｅ  Ｉｎｆｏｒｍａｔｉｏｎ）等と表されることがある。【００７８】  また、移動局から基地局へのフィードバック情報は回線品質情報だけでなく、ＡＣＫ／ＮＡＣＫでも良いし、その他の情報であっても良い。【００７９】  また、上記実施の形態におけるデータチャネルとしては、例えば、３ＧＰＰ規格では、ＨＳ−ＤＳＣＨ、ＤＳＣＨ、ＤＰＤＣＨ、ＤＣＨ、Ｓ−ＣＣＰＣＨ、ＦＡＣＨ等がある。【００８０】  また、上記実施の形態における制御チャネルとしては、例えば、３ＧＰＰ規格では、ＨＳ−ＤＳＣＨに付随する（ａｓｓｏｃｉａｔｅｄ）チャネルであるＨＳ−ＳＣＣＨ、ＨＳ−ＤＰＣＣＨ、ＲＲＭ（Ｒａｄｉｏ  Ｒｅｓｏｕｒｃｅ  Ｍａｎａｇｅｍｅｎｔ）のための制御情報を通知するためのＤＣＣＨ、Ｓ−ＣＣＰＣＨ、Ｐ−ＣＣＰＣＨ、ＰＣＨ、ＢＣＨ物理チャネルの制御のためのＤＰＣＣＨ等がある。【００８１】  また、上記実施の形態における基地局は‘Ｎｏｄｅ  Ｂ’、移動局は‘ＵＥ’、サブキャリアは‘トーン（Ｔｏｎｅ）’と表されることがある。【００８２】  また、上記実施の形態の説明に用いた各機能ブロックは、典型的には集積回路であるＬＳＩとして実現される。これらは個別に１チップ化されても良いし、一部又は全てを含むように１チップ化されても良い。【００８３】  ここでは、ＬＳＩとしたが、集積度の違いにより、ＩＣ、システムＬＳＩ、スーパーＬＳＩ、ウルトラＬＳＩと呼称されることもある。【００８４】  また、集積回路化の手法はＬＳＩに限るものではなく、専用回路又は汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。【００８５】  さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。【００８６】  本明細書は、２００４年３月３０日出願の特願２００４−０９９３２０に基づくものである。この内容はすべてここに含めておく。
【産業上の利用可能性】
【００８７】  本発明にかかる基地局装置およびデータチャネルのスケジューリング方法は、例えばＯＦＤＭ方式やＭＣ−ＣＤＭＡ方式を用いる高速パケット伝送システム等において特に有用である。
【図１】
2005096522.tif 000002
【図２】
2005096522.tif 000003
【図３】
2005096522.tif 000004
【図４】
2005096522.tif 000005
【図５】
2005096522.tif 000006
【図６】
2005096522.tif 000007
【図７】
2005096522.tif 000008
【図８】
2005096522.tif 000009
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
複数のサブキャリアから構成されるマルチキャリア信号を送信する基地局装置であって、
前記複数のサブキャリアにデータチャネルを割り当てる移動局を、データチャネルでのデータ伝送に必要な制御情報を伝送するための制御チャネルの回線品質に基づいて選択する選択手段と、
前記選択手段で選択された移動局を対象として、データチャネルの回線品質に基づいて、前記複数のサブキャリアにデータチャネルを割り当てる割当手段と、
を具備する基地局装置。
【請求項２】
前記選択手段は、制御チャネルの回線品質が良い順に、前記複数のサブキャリアに多重可能な数まで移動局を選択する、
請求項１記載の基地局装置。
【請求項３】
前記選択手段は、制御チャネルの回線品質が所定品質以上の移動局を選択する、
請求項１記載の基地局装置。
【請求項４】
前記選択手段は、データチャネルの割当情報またはＭＣＳ情報を伝送するための下り制御チャネルの回線品質に基づいて、前記複数のサブキャリアにデータチャネルを割り当てる移動局を選択する、
請求項１記載の基地局装置。
【請求項５】
前記選択手段は、ＡＣＫまたはＮＡＣＫを伝送するための上り制御チャネルの回線品質に基づいて、前記複数のサブキャリアにデータチャネルを割り当てる移動局を選択する、
請求項１記載の基地局装置。
【請求項６】
前記割当手段は、前記複数のサブキャリアのうち予め決められたサブキャリアに制御チャネルを割り当てる、
請求項１記載の基地局装置。
【請求項７】
基地局装置と移動局装置とが無線通信を行う移動体通信システムであって、
前記基地局装置は、前記移動局装置からデータチャネルの回線品質情報を受信し、
前記移動局装置は、制御チャネルの回線品質に基づいて、前記回線品質情報を前記基地局装置へ送信するか否か判定する、
移動体通信システム。
【請求項８】
前記移動局装置は、前記制御チャネルの回線品質がしきい値以上であれば前記回線品質情報を送信すると判定し、前記制御チャネルの回線品質がしきい値未満であれば前記回線品質情報を送信しないと判定する、
請求項７記載の移動体通信システム。
【請求項９】
前記移動局装置は、制御チャネルの受信ＳＩＲを用いて回線品質を測定する、
請求項７記載の移動体通信システム。
【請求項１０】
前記移動局装置は、制御チャネルの所要送信電力を用いて回線品質を測定する、
請求項７記載の移動体通信システム。
【請求項１１】
周波数軸方向に複数のサブキャリアを有するマルチキャリア信号を時間軸方向に連続的に送信するマルチキャリア伝送システムにおいて使用される前記複数のサブキャリアに対
するデータチャネルのスケジューリング方法であって、
時間軸方向のスケジューリングを制御チャネルの回線品質に応じて行う一方で、周波数軸方向のスケジューリングをデータチャネルの回線品質に応じて行う、
スケジューリング方法。
【手続補正２】
【補正対象書類名】明細書
【補正対象項目名】全文
【補正方法】変更
【補正の内容】
【発明の詳細な説明】
【技術分野】
【０００１】
本発明は、基地局装置、移動局装置およびデータチャネルのスケジューリング方法に関し、例えばＯＦＤＭ（Orthogonal Frequency Division Multiplexing）により複数のサブキャリアに各移動局のデータチャネルを割り当てる基地局装置およびデータチャネルのスケジューリング方法に関する。
【背景技術】
【０００２】
高速パケット伝送の要求を満たすシステムとして、beyond ３Ｇシステムが検討されている。現在検討されているbeyond ３Ｇシステムとして、ＯＦＤＭやＭＣ−ＣＤＭＡ等のマルチキャリア伝送システムがある。また、マルチキャリア伝送においては、データチャネルに対するスケジューリングをサブキャリア毎に行う周波数スケジューリングの検討がなされている。周波数スケジューリングでは、各移動局へのパケットデータを回線品質が良好なサブキャリアに割り当てることにより、周波数利用効率を向上させる。より具体的には、以下のようにして周波数スケジューリングが行われる。
【０００３】
各移動局は、全サブキャリアについてサブキャリア毎に回線品質情報であるＣＱＩ（Channel Quality Indicator）を基地局に報告する。基地局は各移動局からのＣＱＩに基づいて所定のスケジューリングアルゴリズムに従って、各移動局が使用するサブキャリアとＭＣＳ（Modulation and Coding Scheme；変調方式と符号化率）を決定する。基地局が複数の移動局に対して同時にデータを送信する場合は、基地局は全移動局からの全サブキャリアのＣＱＩを用いて周波数スケジューリングを行なう（例えば、特許文献１参照）。このように周波数スケジューリングでは、サブキャリア毎にパケットデータの送信がなされる移動局が選択される。
【０００４】
ここで、高速パケット伝送システムについて説明する。図１は、高速パケット伝送システムの概念図である。図１では、高速パケットの伝送を下り回線において行う場合を示している。この場合、マルチキャリア伝送でパケットデータを伝送するためのチャネルとして下りデータチャネルがある。この下りデータチャネルは複数の移動局で共用される。また、下りデータチャネルでのパケットデータの伝送に必要な制御情報を伝送するために、下りデータチャネルに付随して、下り制御チャネルと上り制御チャネルとがある。この下り制御チャネルでは、上記周波数スケジューリングにおいてどのサブキャリアにどの移動局のデータチャネルが割り当てられたかを示す情報（データチャネルの割当情報）や移動局毎のＭＣＳ情報が伝送される。また、各移動局は上り制御チャネルを用いて、ＣＱＩとＡＣＫ／ＮＡＣＫを基地局に通知する。このＡＣＫ（ACKnowledgment；肯定応答）／ＮＡＣＫ（Negative ACKnowledgment；否定応答）を用いて、ＡＲＱ（Automatic Repeat reQuest；自動再送要求）が行われる。なお、図１における下り制御チャネルおよび上り制御チャネルともに、各移動局毎に存在する個別チャネルである。
【０００５】
このような高速パケット伝送システムにおいては、一般的に、下りデータチャネルについては送信電力を一定に保つとともに、回線品質に応じてＭＣＳを適応的に変化させて伝送レートを変化させることによりフェージングに対応する。一方で、下り制御チャネルや上り制御チャネルについては、固定の伝送レートに保つとともに、回線品質に応じて送信電力を変化させることにより所要の受信品質を得る。
【特許文献１】特開２００２−２５２６１９号公報
【発明の開示】
【発明が解決しようとする課題】
【０００６】
ここで、フェージングの落ち込み等で上り制御チャネルの回線品質が悪いときに、その上り制御チャネルを使用する移動局にパケットデータの伝送が行われると、そのパケットデータに対するＡＣＫ／ＮＡＣＫを所要受信品質で基地局に伝えるために上り制御チャネルの送信電力が大きくなってしまう。その結果、隣接セルに与える干渉が増大してしまうとともに、上り回線の容量が圧迫されてしまう。
【０００７】
一方、下り制御チャネルの回線品質が悪いときに、その下り制御チャネルを使用する移動局にパケットデータの伝送が行われると、上記割当情報やＭＣＳ情報をその移動局に対して所要受信品質で伝えるために下り制御チャネルの送信電力が大きくなってしまう。その結果、隣接セルに与える干渉が増大してしまうとともに、下り回線の容量が圧迫されてしまう。
【０００８】
また、上り制御チャネルについて送信電力制御が行われない通信システムにおいては、フェージングの落ち込み等で上り制御チャネルの回線品質が悪いときに、その上り制御チャネルを使用する移動局にパケットデータの伝送が行われると、そのパケットデータに対するＡＣＫ／ＮＡＣＫが所要受信品質で基地局に届かなくなる。特に、セル境界付近に位置する移動局については、ＡＣＫ／ＮＡＣＫが所要受信品質で基地局に届かなくなる可能性が高い。その結果、パケットデータの再送が発生してしまい下りデータチャネルのスループットが低下してしまう。
【０００９】
本発明の目的は、マルチキャリア伝送において、隣接セルへの干渉を抑えて回線容量の減少を抑えつつ、スループットの低下を防ぐことができる基地局装置、移動局装置およびデータチャネルのスケジューリング方法を提供することである。
【課題を解決するための手段】
【００１０】
本発明のスケジューリング方法は、周波数軸方向に複数のサブキャリアを有するマルチキャリア信号を時間軸方向に連続的に送信するマルチキャリア伝送システムにおいて使用される前記複数のサブキャリアに対するデータチャネルのスケジューリング方法であって、時間軸方向のスケジューリングを制御チャネルの回線品質に応じて行う一方で、周波数軸方向のスケジューリングをデータチャネルの回線品質に応じて行うようにした。
【発明の効果】
【００１１】
本発明によれば、隣接セルへの干渉を抑えて回線容量の減少を抑えつつ、スループットの低下を防ぐことができる。
【発明を実施するための最良の形態】
【００１２】
以下、本発明の実施の形態について、図面を参照して詳細に説明する。
【００１３】
（実施の形態１）
本発明の実施の形態１に係る移動体通信システムの構成を図２に示す。この図に示すように、基地局装置を中心としたセルの中に複数の移動局装置が存在する。なお、図２の例では、３つのセルで構成される移動体通信システムを示したが、移動体通信システムを構成するセルの数は特に限定されない。
【００１４】
図３は、本発明の実施の形態１に係る基地局装置の構成を示すブロック図である。制御情報抽出部１０５、復調部１０６、復号部１０７、ＭＣＳ選択部１０８、符号化部１０９、ＨＡＲＱ（Hybrid Automatic Repeat Request）部１１０、変調部１１１、符号化部１１５、変調部１１６、および送信電力制御部１１７は、データ処理部１００−１〜１００−ｎを構成する。データ処理部１００−１〜１００−ｎは、この基地局装置が収容可能な移動局数分（ｎ個）設けられるものであり、データ処理部１００−１〜１００−ｎはそれぞれ、各移動局毎のデータの処理を行う。
【００１５】
受信無線処理部１０２は、アンテナ１０１にて受信した受信信号を無線周波数からベースバンド周波数ヘダウンコンバート等してガードインターバル（以下「ＧＩ」と記載する）除去部１０３へ出力する。
【００１６】
ＧＩ除去部１０３は、受信無線処理部１０２から入力された受信信号からＧＩを除去して高速フーリエ変換（以下「ＦＦＴ；Fast Fourier Transform」と記載する）部１０４へ出力する。
【００１７】
ＦＦＴ部１０４は、ＧＩ除去部１０３から入力された受信信号をシリアルデータ形式からパラレルデータ形式に変換した後、ＦＦＴ処理を行い、移動局毎の受信信号として制御情報抽出部１０５へ出力する。
【００１８】
制御情報抽出部１０５は、ＦＦＴ部１０４から入力された受信信号より制御情報を抽出して復調部１０６へ出力する。この制御情報は各移動局毎の上り制御チャネルで各移動局から送られたものであり、この制御情報にはＨＡＲＱのためのＡＣＫ／ＮＡＣＫ、サブキャリア毎のＣＱＩ、下り制御チャネルの回線品質情報が含まれる。ＡＣＫ／ＮＡＣＫについては、各移動局が受信したパケットデータに対して誤り検出を行い、誤りがない場合はＡＣＫ、誤りがある場合はＮＡＣＫを基地局に報告する。また、サブキャリア毎のＣＱＩについては、各移動局が下りデータチャネルのサブキャリア毎の回線品質としてサブキャリア毎の受信ＣＩＲを測定し、その受信ＣＩＲに応じたＣＱＩをサブキャリア毎に基地局に報告する。また、下り制御チャネルの回線品質については、各移動局が下り制御チャネルの回線品質として自局用の下り制御チャネルの受信ＣＩＲを測定し基地局に報告する。
【００１９】
復調部１０６は、制御情報抽出部１０５から入力された制御情報を復調して復号部１０７へ出力する。
【００２０】
復号部１０７は、復調部１０６から入力された制御情報を復号する。そして、制御情報に含まれるサブキャリア毎のＣＱＩをＭＣＳ選択部１０８およびスケジューラ１１２の割当部１１４へ出力する。また、復号部１０７は、制御情報に含まれるＡＣＫまたはＮＡＣＫをＨＡＲＱ部１１０へ出力する。また、復号部１０７は、制御情報に含まれる下り制御チャネルの回線品質情報をスケジューラ１１２の選択部１１３へ出力する。
【００２１】
ＭＣＳ選択部１０８は、復号部１０７から入力されたＣＱＩに応じて、パケットデータの変調方式（ＢＰＳＫ、ＱＰＳＫ、８ＰＳＫ、１６ＱＡＭ、６４ＱＡＭ等）および符号化率を選択する。ＭＣＳ選択部１０８は、ＣＱＩと変調方式および符号化率と対応付けたＭＣＳテーブルを保持しており、各移動局から送られてきたサブキャリア毎のＣＱＩを用いてＭＣＳテーブルを参照することにより、サブキャリア毎に変調方式および符号化率を選
択する。そして、ＭＣＳ選択部１０８は、選択した変調方式を示す情報を変調部１１１へ出力し、選択した符号化率を示す情報を符号化部１０９へ出力する。
【００２２】
符号化部１０９は、入力されるパケットデータをＭＣＳ選択部１０８で選択された符号化率で符号化してＨＡＲＱ部１１０へ出力する。なお、パケットデータ１は移動局１宛てのパケットデータの系列であり、パケットデータｎは移動局ｎ宛てのパケットデータの系列であり、下りデータチャネルで伝送されるものである。
【００２３】
ＨＡＲＱ部１１０は、符号化部１０９から入力されたパケットデータを変調部１１１へ出力するとともに、変調部１１１へ出力したパケットデータを一時的に保持する。そして、ＨＡＲＱ部１１０は、復号部１０７からＮＡＣＫが入力された場合には、移動局より再送要求されているため、一時的に保持している出力済みのパケットデータを再度変調部１１１へ出力する。一方、ＨＡＲＱ部１１０は、復号部１０７からＡＣＫが入力された場合には、新たなパケットデータを変調部１１１へ出力する。
【００２４】
変調部１１１は、ＨＡＲＱ部１１０から入力されたパケットデータをＭＣＳ選択部１０８で選択された変調方式に従って変調して、スケジューラ１１２の選択部１１３へ出力する。
【００２５】
選択部１１３は、復号部１０７から入力された下り制御チャネルの回線品質情報に基づいて、パケットデータ１〜ｎの中から割当部１１４へ出力するパケットデータを選択する。具体的な選択方法については後述する。
【００２６】
符号化部１１５は、入力される制御データを所定の符号化率で符号化して変調部１１６へ出力する。なお、制御データ１は移動局１宛ての制御データの系列であり、制御データｎは移動局ｎ宛ての制御データの系列であり、下り制御チャネルで伝送されるものである。また、この制御データには、上記割当情報や移動局毎のＭＣＳ情報が含まれる。
【００２７】
変調部１１６は、符号化部１１５から入力された制御データを所定の変調方式に従って変調して、送信電力制御部１１７へ出力する。
【００２８】
送信電力制御部１１７は、制御データの送信電力を制御してスケジューラ１１２の割当部１１４へ出力する。この送信電力制御は、下り制御チャネルの回線品質に応じて行われる。すなわち、各移動局が下り制御チャネルの回線品質を測定し、その回線品質としきい値との比較結果に基づいてＴＰＣコマンドを作成して基地局へ報告し、基地局はそのＴＰＣコマンドに従って制御データの送信電力を上げ下げする。
【００２９】
割当部１１４は、選択部１１３から入力されたパケットデータおよび送信電力制御部１１７から入力された制御データを、復号部１０７から入力されたサブキャリア毎のＣＱＩに基づいてマルチキャリア信号を構成する複数のサブキャリア１〜ｍのいずれかに割り当てて、逆高速フーリエ変換（以下「ＩＦＦＴ；Inverse Fast Fourier Transform」と記載する）部１１８へ出力する。具体的な割当方法については後述する。
【００３０】
ＩＦＦＴ部１１８は、割当部１１４から入力されたパケットデータおよび制御データをＩＦＦＴしてマルチキャリア信号（ＯＦＤＭシンボル）を作成し、ＧＩ挿入部１１９へ出力する。
【００３１】
ＧＩ挿入部１１９は、ＩＦＦＴ部１１８から入力されたマルチキャリア信号にＧＩを挿入して送信無線処理部１２０へ出力する。
【００３２】
送信無線処理部１２０は、ＧＩ挿入部１１９から入力されたマルチキャリア信号をベースバンド周波数から無線周波数にアップコンバート等してアンテナ１０１より送信する。
【００３３】
次いで、選択部１１３と割当部１１４とから構成されるスケジューラ１１２の動作について図４を用いて具体的に説明する。図４は、本発明の実施の形態１に係るスケジューリング方法を示す図である。図４に示すように、基地局から送信されるマルチキャリア信号は、各ＯＦＤＭシンボルが周波数軸方向にｆ１〜ｆ１４の１４本のサブキャリアで構成され、時間軸方向に連続的に送信される。また、サブキャリアｆ１〜ｆ１４はデータチャネルと制御チャネルとに区別される。すなわち、サブキャリアｆ１〜ｆ１０は下りデータチャネルによって使用され、サブキャリアｆ１１〜ｆ１４は下り制御チャネルによって使用される。また、下り制御チャネル１〜４は移動局１〜４にそれぞれ個別に割り当てられている。すなわち、下り制御チャネル１はサブキャリアｆ１４に、下り制御チャネル２はサブキャリアｆ１３に、下り制御チャネル３はサブキャリアｆ１２に、下り制御チャネル４はサブキャリアｆ１１にそれぞれ固定的に割り当てられる。一方、下りデータチャネルは移動局１〜４で共用され、サブキャリアｆ１〜ｆ１０が移動局１〜４に可変的に割り当てられる。
【００３４】
なお、データチャネルと制御チャネルはそれぞれ連続している必要はなく、非連続に割り当てられていても良い。また、例えば、図５のように、制御チャネルとデータチャネルが時間多重されていても良い。
【００３５】
まず、選択部１１３の動作について説明する。今ここでは、１ＯＦＤＭシンボルに多重可能な移動局数を‘２’とする。選択部１１３は、各移動局１〜４から報告された下り制御チャネル１〜４の回線品質を比較する。この回線品質については、各移動局１〜４が下り制御チャネル１〜４の受信ＣＩＲを測定し、そのＣＩＲ値を下り制御チャネルの回線品質情報として基地局に報告する。多重可能な移動局数が‘２’であるので、選択部１１３は、移動局１〜４のうち、回線品質が良い順に上位２移動局を選択する。ここでは、シンボルＳ１のタイミングでは制御チャネル１および３、シンボルＳ２のタイミングでは制御チャネル２および３、シンボルＳ３のタイミングでは制御チャネル２および４、シンボルＳ４のタイミングでは制御チャネル１および４が、他の２つの制御チャネルよりも回線品質が良好であったとする。よって、選択部１１３は、サブキャリアｆ１〜ｆ１０にデータチャネルを割り当てる移動局として、シンボルＳ１のタイミングでは移動局１および３、シンボルＳ２のタイミングでは移動局２および３、シンボルＳ３のタイミングでは移動局２および４、シンボルＳ４のタイミングでは移動局１および４を選択する。つまり、選択部１１３は、変調部１１１から入力されるパケットデータ１〜４のうち、シンボルＳ１のタイミングではパケットデータ１および３、シンボルＳ２のタイミングではパケットデータ２および３、シンボルＳ３のタイミングではパケットデータ２および４、シンボルＳ４のタイミングではパケットデータ１および４を選択して割当部１１４へ出力する。
【００３６】
なお、別な選択方法として、選択部１１３は、１ＯＦＤＭシンボルに多重可能な移動局数にかかわらず、下り制御チャネルの回線品質が所定品質以上となる移動局をすべて選択してもよい。
【００３７】
ここで、ＯＦＤＭシンボルＳ１〜Ｓ４は、時間軸方向で連続的に送信される。そして、上記のように時間軸に沿って、ＯＦＤＭシンボル毎に、制御チャネルの回線品質に基づいてデータチャネルを割り当てる移動局の選択が行われる。つまり、スケジューラ１１２では、データチャネルの時間軸方向のスケジューリングが制御チャネルの回線品質に基づいて行われることとなる。
【００３８】
次いで、割当部１１４の動作について説明する。まず、割当部１１４は、シンボルＳ１
〜Ｓ４のいずれのタイミングにおいても、制御チャネル１（制御データ１）をサブキャリアｆ１４に、制御チャネル２（制御データ２）をサブキャリアｆ１３に、制御チャネル３（制御データ３）をサブキャリアｆ１２に、制御チャネル４（制御データ４）をサブキャリアｆ１１に、固定的に割り当てる。つまり、割当部１１４は、制御チャネルについては、サブキャリアｆ１〜ｆ１４のうち予め決められたサブキャリアｆ１１〜ｆ１４に制御チャネルを割り当てる。
【００３９】
一方で、割当部１１４は、シンボルＳ１〜Ｓ４のそれぞれのタイミングにおいて、各サブキャリアｆ１〜ｆ１０毎にデータチャネルを割り当てる移動局を変化させる。すなわち、シンボルＳ１のタイミングでは、選択部１１３によって移動局１および３が選択されたため、割当部１１４は、移動局１および３を対象として、サブキャリアｆ１〜ｆ１０毎に移動局１の下りデータチャネルの回線品質と移動局３の下りデータチャネルの回線品質とを比較する。つまり、割当部１１４は、シンボルＳ１のタイミングでは、移動局１から報告されたＣＱＩと移動局３から報告されたＣＱＩとを比較する。通常、回線品質が良いほどＣＱＩの値が大きいため、割当部１１４はサブキャリア毎に移動局１および３のうちＣＱＩの値が大きい方の移動局を選択して、選択した移動局のパケットデータをサブキャリアに割り当てる。つまり、割当部１１４は、選択部１１３で選択された移動局のうち、サブキャリア毎に下りデータチャネルの回線品質が最も良好な移動局に対してデータチャネルを割り当てる。図４の例では、シンボルＳ１のタイミングでは、サブキャリアｆ１に関しては、移動局３のＣＱＩが移動局１のＣＱＩより大きいので、移動局３をサブキャリアｆ１に割り当てる。同様にサブキャリア毎に割り当てを繰り返すと、サブキャリアｆ４、ｆ５、ｆ６、ｆ７に移動局１のデータチャネルが割り当てられ、サブキャリアｆ１、ｆ２、ｆ３、ｆ８、ｆ９、ｆ１０に移動局３のデータチャネルが割り当てられる。
【００４０】
同様にして、割当部１１４では、シンボルＳ２のタイミングでは、サブキャリアｆ１、ｆ２、ｆ７、ｆ８、ｆ９、ｆ１０に移動局２のデータチャネルが割り当てられ、サブキャリアｆ３、ｆ４、ｆ５、ｆ６に移動局３のデータチャネルが割り当てられる。また、シンボルＳ３のタイミングでは、サブキャリアｆ７、ｆ８、ｆ９、ｆ１０に移動局２のデータチャネルが割り当てられ、サブキャリアｆ１、ｆ２、ｆ３、ｆ４、ｆ５、ｆ６に移動局４のデータチャネルが割り当てられる。また、シンボルＳ４のタイミングでは、サブキャリアｆ１、ｆ２、ｆ３、ｆ９、ｆ１０に移動局１のデータチャネルが割り当てられ、サブキャリアｆ４、ｆ５、ｆ６、ｆ７、ｆ８に移動局４のデータチャネルが割り当てられる。
【００４１】
ここで、割当部１１４では、上記のように周波数軸に沿って、サブキャリア毎に、データチャネルの回線品質に基づいて各移動局のデータチャネルを割り当てる。つまり、スケジューラ１１２では、データチャネルの周波数軸方向のスケジューリングがデータチャネルの回線品質に基づいて行われることとなる。
【００４２】
なお、上記説明では、各移動局の下り制御チャネルを互いに異なるサブキャリア（ｆ１１〜ｆ１４）に割り当てるようにしたが、ある特定の１つのサブキャリア（例えば、ｆ１４）を制御チャネル用として複数の移動局で共用し、データチャネルが割り当てられた移動局に対してだけ制御情報を伝送するようにしてもよい。この場合には、移動局は、共通パイロットの受信ＣＩＲを制御チャネルの回線品質として測定し基地局に報告する。
【００４３】
次いで、ある１つの移動局に着目した場合の上記スケジューリングの様子を示す。図６は、本発明の実施の形態１に係る回線品質変動とスケジューリングとの関係を示す図である。図６の上図は制御チャネルの回線品質（移動局での受信ＣＩＲ）の時間変動を表している。図６の上図に示すように、この移動局は、自局用の制御チャネルの回線品質が良好な時間帯だけパケットデータの送信先の移動局として選択される。つまりデータチャネルを割り当てる移動局として選択される。また、図６の下図は、送信先の移動局として選択
されたそれぞれの時間帯（シンボル）でのデータチャネルの回線品質（移動局での受信ＣＩＲ）の周波数変動を表している。丸印で囲んだ箇所がデータチャネルを割り当てる送信周波数（サブキャリア）として選択された箇所であり、良好な回線品質の周波数が選択されている。
【００４４】
このように本実施の形態によれば、下り制御チャネルの回線品質が良好な移動局に対してのみデータチャネルを割り当て、下り制御チャネルの回線品質が悪い移動局に対してはデータチャネルが割り当てられることがなくなるため、上記割当情報やＭＣＳ情報を移動局に伝えるための下り制御チャネルの送信電力が大きくなってしまうことを防止することができ、隣接セルに与える干渉を抑えることができる。その結果、下り回線の容量の減少を抑えることができる。また、データチャネルについては変調レベルの高い変調方式を用いて伝送レートを上げてスループットを向上させることができる。
【００４５】
なお、制御チャネルについて送信電力制御が行われない通信システムで図３に示す基地局が使用される場合は、図３の構成において送信電力制御部１１７は不要となる。また、送信電力制御部１１７を割当部１１４の後に設け、サブキャリアに対する割り当て後に送信電力制御を行う構成にしても良い。
【００４６】
（実施の形態２）
図７は、本発明の実施の形態２に係る基地局装置の構成を示すブロック図である。なお、図７において図３（実施の形態１）と同一の構成には同一の符号を付し、その説明を省略する。
【００４７】
図７において、復調部１０６は、制御情報抽出部１０５から入力された制御情報を復調して復号部１０７および回線品質測定部１２１へ出力する。上記のように、この制御情報は各移動局毎の上り制御チャネルで各移動局から送られたものである。そこで、回線品質測定部１２１は、復調部１０６から入力された制御情報の受信ＣＩＲを各移動局毎の上り制御チャネルの回線品質として測定し、選択部１１３へ出力する。選択部１１３では、実施の形態１と同様にして、回線品質測定部１２１から入力された上り制御チャネルの回線品質情報（受信ＣＩＲ）に基づいて、パケットデータ１〜ｎの中から割当部１１４へ出力するパケットデータを選択する。
【００４８】
復号部１０７は、復調部１０６から入力された制御情報を復号する。そして、制御情報に含まれるサブキャリア毎のＣＱＩをＭＣＳ選択部１０８および割当部１１４へ出力する。また、復号部１０７は、制御情報に含まれるＡＣＫまたはＮＡＣＫをＨＡＲＱ部１１０へ出力する。
【００４９】
このように本実施の形態によれば、上り制御チャネルの回線品質が良好な移動局に対してのみデータチャネルを割り当て、上り制御チャネルの回線品質が悪い移動局に対してはデータチャネルが割り当てられることがなくなるため、ＡＣＫ／ＮＡＣＫやＣＱＩを基地局に伝えるための上り制御チャネルの送信電力が大きくなってしまうことを防止することができ、隣接セルに与える干渉を抑えることができる。その結果、上り回線の容量の減少を抑えることができる。また、上り制御チャネルについて送信電力制御が行われない通信システムにおいても、上り制御チャネルの回線品質が悪い移動局に対してはデータチャネルが割り当てられることがなくなるため、ＡＣＫ／ＮＡＣＫが所要受信品質で基地局に届かなくなる可能性を低くすることができる。その結果、再送の発生による下りデータチャネルのスループットの低下を抑えることができる。
【００５０】
（実施の形態３）
図８は、本発明の実施の形態３に係る移動局装置の構成を示すブロック図である。
【００５１】
図８において、受信無線処理部２０２は、アンテナ２０１にて受信した受信信号を無線周波数からベースバンド周波数ヘダウンコンバート等してＧＩ除去部２０３へ出力する。
【００５２】
ＧＩ除去部２０３は、受信無線処理部２０２から入力された受信信号からＧＩを除去してＦＦＴ部２０４へ出力する。
【００５３】
ＦＦＴ部２０４は、ＧＩ除去部２０３から入力された受信信号をシリアルデータ形式からパラレルデータ形式に変換した後、ＦＦＴ処理を行い、サブキャリア毎の信号として分離部２０５へ出力する。
【００５４】
分離部２０５は、ＦＦＴ部２０４から入力された信号をデータチャネル信号と制御チャネル信号とに分離し、データチャネル信号を復調部２０６およびデータチャネル品質測定部２１０に出力するとともに、制御チャネル信号を復調部２０８および制御チャネル品質測定部２１３へ出力する。
【００５５】
復調部２０６は、データチャネル信号を復調し、復号部２０７は、復調後のデータチャネル信号を復号する。これにより、パケットデータが得られる。
【００５６】
復調部２０８は、制御チャネル信号を復調し、復号部２０９は、復調後の制御チャネル信号を復号する。これにより、制御データが得られる。また、復号部２０９は、制御データに含まれるＡＣＫまたはＮＡＣＫをＨＡＲＱ部２２０へ出力する。ＡＣＫ／ＮＡＣＫについては、基地局が受信したパケットデータに対して誤り検出を行い、誤りがない場合はＡＣＫ、誤りがある場合はＮＡＣＫを移動局に報告する。
【００５７】
データチャネル品質測定部２１０は、データチャネル信号の受信品質（例えば、受信ＣＩＲ）を測定し、フィードバック情報生成部２１１へ出力する。
【００５８】
フィードバック情報生成部２１１は、データチャネル信号の受信品質から回線品質情報であるＣＱＩ（Channel Quality Indicator）をフィードバック情報として生成し、送信制御部２１２へ出力する。
【００５９】
制御チャネル品質測定部２１３は、制御チャネル信号の受信品質（例えば、受信ＣＩＲ）を測定し、フィードバック判定部２１４へ出力する。
【００６０】
フィードバック判定部２１４は、制御チャネル信号の受信品質を所定のしきい値と比較し、受信品質がしきい値以上であればＣＱＩのフィードバックを行うと判定し、しきい値未満であればＣＱＩのフィードバックを行わないと判定する。この判定結果は、送信制御部２１２へ出力される。
【００６１】
送信制御部２１２は、判定結果がフィードバックを行うという結果であればＣＱＩを符号化部２１５へ出力し、判定結果がフィードバックを行わないという結果であれば何も出力しない。
【００６２】
符号化部２１５は、送信制御部２１２からＣＱＩが入力されれば、そのＣＱＩを符号化して変調部２１６へ出力する。なお、符号化部２１５は、送信制御部２１２からの入力がない場合は処理を行わない。
【００６３】
変調部２１６は、符号化部２１５から入力されたＣＱＩを所定の変調方式に従って変調して、送信電力制御部２１７へ出力する。
【００６４】
送信電力制御部２１７は、ＣＱＩの送信電力を制御して割当部２１８へ出力する。この送信電力制御は、上り制御チャネルの回線品質に応じて行われる。すなわち、基地局が上り制御チャネルの回線品質を測定し、その回線品質としきい値との比較結果に基づいてＴＰＣコマンドを作成して移動局へ報告し、移動局はそのＴＰＣコマンドに従ってＣＱＩの送信電力を上げ下げする。
【００６５】
符号化部２１９は、入力されるパケットデータを符号化してＨＡＲＱ部２２０へ出力する。
【００６６】
ＨＡＲＱ部２２０は、符号化部２１９から入力されたパケットデータを変調部２２１へ出力するとともに、変調部２２１へ出力したパケットデータを一時的に保持する。そして、ＨＡＲＱ部２２０は、復号部２０９からＮＡＣＫが入力された場合には、基地局より再送要求されているため、一時的に保持している出力済みのパケットデータを再度変調部２２１へ出力する。一方、ＨＡＲＱ部２２０は、復号部２０９からＡＣＫが入力された場合には、新たなパケットデータを変調部２２１へ出力する。
【００６７】
変調部２２１は、ＨＡＲＱ部２２０から入力されたパケットデータを所定の変調方式に従って変調して、割当部２１８へ出力する。
【００６８】
割当部２１８は、変調部２２１から入力されたパケットデータおよび送信電力制御部２１７から入力されたＣＱＩを、マルチキャリア信号を構成する複数のサブキャリア１〜ｍのいずれかに割り当てて、ＩＦＦＴ部２２２へ出力する。
【００６９】
ＩＦＦＴ部２２２は、割当部２１８から入力されたパケットデータおよびＣＱＩをＩＦＦＴしてマルチキャリア信号（ＯＦＤＭシンボル）を作成し、ＧＩ挿入部２２３へ出力する。
【００７０】
ＧＩ挿入部２２３は、ＩＦＦＴ部２２２から入力されたマルチキャリア信号にＧＩを挿入して送信無線処理部２２４へ出力する。
【００７１】
送信無線処理部２２４は、ＧＩ挿入部２２３から入力されたマルチキャリア信号をベースバンド周波数から無線周波数にアップコンバート等してアンテナ２０１より送信する。
【００７２】
なお、本実施の形態に係る移動局がＣＱＩをフィードバックしない場合は、基地局では、その移動局については、上記スケジューラ１１２にて用いられるＣＱＩを最小値のＣＱＩとみなして処理を行う、または、上記スケジューラ１１２における処理対象から除外する。
【００７３】
このように本実施の形態によれば、移動局は、制御チャネルの回線品質に応じてデータチャネルのＣＱＩの基地局へのフィードバックを行うか否かを判定する。つまり、制御チャネルの回線品質がしきい値以上であればデータチャネルの受信品質情報を基地局へ送信し、制御チャネルの回線品質がしきい値未満であればデータチャネルの受信品質情報を基地局へ送信しない。このようにして、本実施の形態では、無駄なＣＱＩのフィードバックを行わないため、上り回線の送信量を低減することができる。これにより、隣接セルに与える干渉を抑えることができ、その結果上り回線の容量の増大を図ることができる。また、基地局において、制御チャネルの品質が劣悪な移動局を処理対象から除外することができるので、基地局での処理量を低減することができる。なお、基地局において、制御チャネルの品質が劣悪な移動局宛のパケットデータは割り当てられない可能性が高いので、パケットデータのスループットを低下させることはない。
【００７４】
なお、上記実施の形態においては、データチャネルに対するスケジューリングをいわゆるＭａｘＣ／Ｉ法により行ったが、例えば、いわゆるＰＦ（Proportional Fairness）法により行ってもよい。ＭａｘＣ／Ｉ法は、瞬時の回線品質だけに基づくスケジューリングアルゴリズムであり、各移動局間の公平性よりもむしろ下りデータチャネルのスループットを最大にすることに適したアルゴリズムである。一方、ＰＦ法は、長区間の平均の回線品質または１ＯＦＤＭに含まれる全サブキャリアの平均の回線品質と瞬時の回線品質との比に基づくスケジューリングアルゴリズムであり、各移動局間の公平性と下りデータチャネルのスループットとをバランス良く保つことができるアルゴリズムである。
【００７５】
また、上記実施の形態において、回線品質の測定は、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。
【００７６】
また、回線品質情報は、ＣＱＩやＣＳＩ（Channel State Information）等と表されることがある。
【００７７】
また、移動局から基地局へのフィードバック情報は回線品質情報だけでなく、ＡＣＫ／ＮＡＣＫでも良いし、その他の情報であっても良い。
【００７８】
また、上記実施の形態におけるデータチャネルとしては、例えば、３ＧＰＰ規格では、ＨＳ−ＤＳＣＨ、ＤＳＣＨ、ＤＰＤＣＨ、ＤＣＨ、Ｓ−ＣＣＰＣＨ、ＦＡＣＨ等がある。
【００７９】
また、上記実施の形態における制御チャネルとしては、例えば、３ＧＰＰ規格では、ＨＳ−ＤＳＣＨに付随する（associated）チャネルであるＨＳ−ＳＣＣＨ、ＨＳ−ＤＰＣＣＨ、ＲＲＭ（Radio Resource Management）のための制御情報を通知するためのＤＣＣＨ、Ｓ−ＣＣＰＣＨ、Ｐ−ＣＣＰＣＨ、ＰＣＨ、ＢＣＨ物理チャネルの制御のためのＤＰＣＣＨ等がある。
【００８０】
また、上記実施の形態における基地局は‘Ｎｏｄｅ Ｂ’、移動局は‘ＵＥ’、サブキャリアは‘トーン（Tone）’と表されることがある。
【００８１】
また、上記実施の形態の説明に用いた各機能ブロックは、典型的には集積回路であるＬＳＩとして実現される。これらは個別に１チップ化されても良いし、一部又は全てを含むように１チップ化されても良い。
【００８２】
ここでは、ＬＳＩとしたが、集積度の違いにより、ＩＣ、システムＬＳＩ、スーパーＬＳＩ、ウルトラＬＳＩと呼称されることもある。
【００８３】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００８４】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００８５】
本明細書は、２００４年３月３０日出願の特願２００４−０９９３２０に基づくものである。この内容はすべてここに含めておく。
【産業上の利用可能性】
【００８６】
本発明にかかる基地局装置およびデータチャネルのスケジューリング方法は、例えばＯＦＤＭ方式やＭＣ−ＣＤＭＡ方式を用いる高速パケット伝送システム等において特に有用である。
【図面の簡単な説明】
【００８７】
【図１】高速パケット伝送システムの概念図
【図２】本発明の実施の形態１に係る移動体通信システムの構成図
【図３】本発明の実施の形態１に係る基地局装置の構成を示すブロック図
【図４】本発明の実施の形態１に係るスケジューリング方法を示す図
【図５】本発明の実施の形態１に係る制御チャネルとデータチャネルの配置を示す図
【図６】本発明の実施の形態１に係る回線品質変動とスケジューリングとの関係を示す図
【図７】本発明の実施の形態２に係る基地局装置の構成を示すブロック図
【図８】本発明の実施の形態３に係る移動局装置の構成を示すブロック図
【手続補正３】
【補正対象書類名】図面
【補正対象項目名】全図
【補正方法】変更
【補正の内容】
【図１】
2005096522.tif 000010
【図２】
2005096522.tif 000011
【図３】
2005096522.tif 000012
【図４】
2005096522.tif 000013
【図５】
2005096522.tif 000014
【図６】
2005096522.tif 000015
【図７】
2005096522.tif 000016
【図８】
2005096522.tif 000017
【国際調査報告】
2005096522.tif 000018
2005096522.tif 000019
2005096522.tif 000020
2005096522.tif 000021